【手続補正書】
【提出日】平成19年6月19日(2007.6.19)
【手続補正１】
【補正対象書類名】明細書
【補正対象項目名】発明の名称
【補正方法】変更
【補正の内容】
【発明の名称】記録装置用インクカートリッジ及びインク供給システム
【手続補正２】
【補正対象書類名】明細書
【補正対象項目名】特許請求の範囲
【補正方法】変更
【補正の内容】
【特許請求の範囲】
【請求項１】  ケースと、インク情報が格納し得る読み出し可能な記憶手段を備えた回路基板と、前記回路基板を前記ケースに取り付けるための取り付け手段と、を有し、記録装置に対して着脱可能に装填される記録装置用インクカートリッジであって、
前記ケースは、直交する二面が開放された函形空間部を備え、
前記取り付け手段は、前記二面のうち一方の面に向かって露出され、
前記回路基板は、当該カートリッジが記録装置に装填された状態において、前記二面のうち他方の面を介して、記録装置側に配置された端子機構に電気的に接続されることを特徴とする記録装置用インクカートリッジ。
【請求項２】  前記回路基板の取り付け手段が、カートリッジケースに一体に成形された熱溶着用の突起により構成されてなる請求項１に記載の記録装置用インクカートリッジ。
【請求項３】  前記熱溶着用の突起が前記回路基板の一部を挿通し、前記突起の頂部を熱カシメすることにより、前記回路基板をカートリッジケースに取り付けてなる請求項２に記載の記録装置用インクカートリッジ。
【請求項４】  前記カートリッジケースには、可撓性素材により形成されて内部にインクが封入されたインクパックが収納され、記録装置への装填状態において前記ケース内に加圧空気が導入されるように構成した請求項１乃至請求項３のいずれかに記載の記録装置用インクカートリッジ。
【請求項５】  ケースと、インク情報が格納し得る読み出し可能な記憶手段を備えた回路基板と、前記回路基板を前記ケースに取り付けるための取り付け手段と、を有するインクカートリッジと、
前記インクカートリッジが着脱可能に装填されるカートリッジホルダと、
前記インクカートリッジが前記カートリッジホルダに装填された状態において、前記回路基板に電気的に接続される端子機構と、
を備え、
インクを前記インクカートリッジから記録ヘッドに供給するためのインク供給システムであって、
前記ケースは、直交する二面が開放された函形空間部を備え、
前記取り付け手段は、前記二面のうち一方の面に向かって露出され、
前記端子機構は、前記インクカートリッジが前記カートリッジホルダに装填された状態において、前記二面のうち他方の面を介して、前記回路基板に電気的に接続される
ことを特徴とするインク供給システム。
【請求項６】  前記回路基板の取り付け手段が、カートリッジケースに一体に成形された熱溶着用の突起により構成されてなる請求項５に記載のインク供給システム。
【請求項７】  前記熱溶着用の突起が前記回路基板の一部を挿通し、前記突起の頂部を熱カシメすることにより、前記回路基板をカートリッジケースに取り付けてなる請求項６に記載のインク供給システム。
【請求項８】  前記カートリッジケースには、可撓性素材により形成されて内部にインクが封入されたインクパックが収納され、記録装置への装填状態において前記ケース内に加圧空気が導入されるように構成した請求項５乃至請求項７のいずれかに記載のインク供給システム。
【手続補正３】
【補正対象書類名】明細書
【補正対象項目名】０００１
【補正方法】変更
【補正の内容】
【０００１】
【発明の属する技術分野】
本発明は、インクジェット式記録装置に着脱可能に装填され、記録ヘッドに対してインクを供給するインクカートリッジ、及びこのようなインクカートリッジを用いたインク供給システムに関し、特にカートリッジに封入されているインク情報が格納し得る読み出し可能な記憶手段を具備した記録装置用インクカートリッジ、及びこのようなインクカートリッジを用いたインク供給システムに関する。
【手続補正４】
【補正対象書類名】明細書
【補正対象項目名】００１０
【補正方法】変更
【補正の内容】
【００１０】
本発明は、前記したような技術的な要請に基づいてなされたものであり、半導体記憶手段のリサイクルを容易にし、また記録装置への装填によって回路基板との電気的な接続が確保されると共に、カートリッジを取り外した状態において、回路基板に形成された電極接点等が不用意に指先等で触れられることのない記録装置用インクカートリッジ、及びこのようなインクカートリッジを用いたインク供給システムを提供することを目的とするものである。
【手続補正５】
【補正対象書類名】明細書
【補正対象項目名】００１１
【補正方法】変更
【補正の内容】
【００１１】
【課題を解決するための手段】
前記した目的を達成するためになされた本発明にかかる記録装置用インクカートリッジは、ケースと、インク情報が格納し得る読み出し可能な記憶手段を備えた回路基板と、前記回路基板を前記ケースに取り付けるための取り付け手段と、を有し、記録装置に対して着脱可能に装填される記録装置用インクカートリッジであって、前記ケースは、直交する二面が開放された函形空間部を備え、前記取り付け手段は、前記二面のうち一方の面に向かって露出され、前記回路基板は、当該カートリッジが記録装置に装填された状態において、前記二面のうち他方の面を介して、記録装置側に配置された端子機構に電気的に接続されることを特徴とする。
また、本発明にかかるインク供給システムは、ケースと、インク情報が格納し得る読み出し可能な記憶手段を備えた回路基板と、前記回路基板を前記ケースに取り付けるための取り付け手段と、を有するインクカートリッジと、前記インクカートリッジが着脱可能に装填されるカートリッジホルダと、前記インクカートリッジが前記カートリッジホルダに装填された状態において、前記回路基板に電気的に接続される端子機構と、を備え、インクを前記インクカートリッジから記録ヘッドに供給するためのインク供給システムであって、前記ケースは、直交する二面が開放された函形空間部を備え、前記取り付け手段は、前記二面のうち一方の面に向かって露出され、前記端子機構は、前記インクカートリッジが前記カートリッジホルダに装填された状態において、前記二面のうち他方の面を介して、前記回路基板に電気的に接続されることを特徴とする。
【手続補正６】
【補正対象書類名】明細書
【補正対象項目名】００１４
【補正方法】変更
【補正の内容】
【００１４】
以上のように構成されたインクカートリッジ又はインク供給システムによると、カートリッジケースの一部に函形空間部が形成され、この函形空間部内にインク情報が格納し得る読み出し可能な記憶手段を備えた回路基板が取り付けられる。この場合、函形空間部の直交する二面が開放された構成とされ、前記回路基板の取り付け手段が、開放された一面に向かって露出されるように構成されているので、回路基板の取り付けおよび取り外しの操作が容易に成し得る。
【手続補正７】
【補正対象書類名】明細書
【補正対象項目名】００１５
【補正方法】変更
【補正の内容】
【００１５】
一方、当該カートリッジを記録装置のカートリッジホルダに装填した場合には、開放された他の一面を介して記録装置側に配置された端子機構が、前記回路基板に対して電気的に接続されるようになされる。そして、前記回路基板は函形空間部内に配置されているので、回路基板に形成された電極接点等を指先等で不用意に触れるのを効果的に防止することができ、これにより、カートリッジに搭載された回路基板と記録装置の端子機構との間の電気的な接触状態を良好に保つことが可能となる。
【手続補正８】
【補正対象書類名】明細書
【補正対象項目名】００５１
【補正方法】変更
【補正の内容】
【００５１】
【発明の効果】
以上の説明で明らかなように、本発明にかかる記録装置用インクカートリッジ、又はインク供給システムによると、インク情報が格納し得る記憶手段を備えた回路基板の取り付けおよび取り外しの操作を容易にすることができる。また、回路基板は函形空間部内に配置されているので、回路基板に形成された電極接点等を指先等で不用意に触れるのを効果的に防止することができる。